(57)【特許請求の範囲】
【請求項１】
底板、頂板、前壁、後壁および対向する側壁を備える包装箱であって、
前記頂板は、前記後壁の上端に連設された後頂板と、前記後頂板に第一折線を介して連設された前頂板と、から構成され、
前記第一折線の近傍には第二折線が形成されており、
前記第二折線で前記頂板を折り曲げることで、前記後頂板および前記前頂板が起立するようになっており、
前記後壁には、前記前頂板を係止するための切欠き部が設けられており、
さらに、前記前壁には、前記頂板を開封する際の切断位置となる前カット線が設けられており、
前記後壁には、前記頂板を開封する際の切断位置となる後カット線が設けられており、
前記後カット線は、凹状部を備えており、
前記切欠き部は、前記後カット線に沿って前記頂板を開封した際に、前記凹状部によって形成されることを特徴とする包装箱。
【請求項２】
底板、頂板、前壁、後壁および対向する側壁を備える包装箱のブランクシートであって、
前記頂板は、前記後壁の上端に連設された後頂板と、前記後頂板に第一折線を介して連設された前頂板と、から構成され、
前記第一折線の近傍には第二折線が形成されており、
前記第二折線で前記頂板を折り曲げることで、前記後頂板および前記前頂板が起立するようになっており、
前記後壁には、前記前頂板を係止するための切欠き部が設けられており、
さらに、前記前壁には、前記頂板を開封する際の切断位置となる前カット線が設けられており、
前記後壁には、前記頂板を開封する際の切断位置となる後カット線が設けられており、
前記後カット線は、凹状部を備えており、
前記切欠き部は、前記後カット線に沿って前記頂板を開封した際に、前記凹状部によって形成されることを特徴とする包装箱のブランクシート。
【発明の詳細な説明】
【技術分野】
【０００１】
本発明は、包装箱および包装箱のブランクシートに関する。
【背景技術】
【０００２】
従来、包装容器に入った即席麺や袋入り菓子等の食品の輸送、およびそれらの店頭展示に兼用できる包装箱として、特許文献１に開示されたものが知られている。
この包装箱は、店頭陳列時に前面側から後面側に頂板を開き、頂板の上部を下部の裏面に折り重ねた状態で後面側に起立させることで、陳列用のトレイとして使用することが可能である。
この包装箱によれば、包装箱の表面に印刷された収容物の印刷表示を利用して、店頭で人目を引く展示販売を行うことができる。
【先行技術文献】
【特許文献】
【０００３】
【特許文献１】実公平２−２１３７５号公報
【発明の概要】
【発明が解決しようとする課題】
【０００４】
しかしながら、前記した従来の包装箱では、頂板の上部を下部の裏面に折り重ねる際に、折れ線に沿って上蓋板の上部を二つ折りにしつつ、頂板の上部を湾曲させながら溝部に係止している。このため、頂板の印刷表示部分に対してシワや折れ目が入り易くなり、見栄えが低下するという課題があった。
【０００５】
本発明は、前記した課題を解決し、店頭陳列時に頂板にシワや折れ目が入り難く、見栄えよく収容物を展示することができる包装箱および包装箱のブランクシートを提供することを課題とする。
【課題を解決するための手段】
【０００６】
このような課題を解決する本発明の包装箱は、底板、頂板、前壁、後壁および対向する側壁を備える包装箱であって、前記頂板は、前記後壁の上端に連設された後頂板と、前記後頂板に第一折線を介して連設された前頂板と、から構成される。前記第一折線の近傍には第二折線が形成されており、前記第二折線で前記頂板を折り曲げることで、前記後頂板および前記前頂板が起立するように構成される。前記後壁には、前記前頂板を係止するための切欠き部が設けられている。さらに、前記前壁には、前記頂板を開封する際の切断位置となる前カット線が設けられており、前記後壁には、前記頂板を開封する際の切断位置となる後カット線が設けられている。また、前記後カット線は、凹状部を備えている。前記切欠き部は、前記後カット線に沿って前記頂板を開封した際に、前記凹状部によって形成される。
【０００７】
本発明の包装箱では、後頂板および前頂板を起立させる店頭陳列時に、後頂板と前頂板とを第一折線で折り曲げながら、第二折線を用いて二つ折りにすることができる。つまり、第一折線および第二折線の二つの折線によって起立の際に生じる前頂板の歪み（湾曲）を吸収することができる。
【０００８】
また、前記後壁に、前記前頂板を係止するための切欠き部を設けることで、前頂板の起立状態を好適に維持することができる。
【０００９】
また、前頂板を係止するための切欠き部が、後カット線に沿って頂板を開封した際に、後カット線に備わる凹状部によって形成されるので、頂板の開封操作で切欠き部を形成することができ、店頭陳列時の手間がかからない。
【００１０】
また、本発明の包装箱のブランクシートは、底板、頂板、前壁、後壁および対向する側壁を備える包装箱のブランクシートであって、前記頂板は、前記後壁の上端に連設された後頂板と、前記後頂板に第一折線を介して連設された前頂板と、から構成され、前記第一折線の近傍には第二折線が形成されており、前記第二折線で前記頂板を折り曲げることで、前記後頂板および前記前頂板が起立するようになっている。前記後壁には、前記前頂板を係止するための切欠き部が設けられている。さらに、前記前壁には、前記頂板を開封する際の切断位置となる前カット線が設けられており、前記後壁には、前記頂板を開封する際の切断位置となる後カット線が設けられている。また、前記後カット線は、凹状部を備えている。前記切欠き部は、前記後カット線に沿って前記頂板を開封した際に、前記凹状部によって形成される。
【００１１】
本発明のブランクシートでは、店頭陳列時に、後頂板および前頂板を起立させる際、後頂板と前頂板とを第一折線で折り曲げながら、第二折線を用いて二つ折りにすることができる。つまり、第一折線および第二折線の二つの折線によって起立の際に生じる前頂板の歪み（湾曲）が吸収される。
また、前記後壁に、前記前頂板を係止するための切欠き部を設けることで、前頂板の起立状態を好適に維持することができる。
また、前頂板を係止するための切欠き部が、後カット線に沿って頂板を開封した際に、後カット線に備わる凹状部によって形成されるので、頂板の開封操作で切欠き部を形成することができ、店頭陳列時の手間がかからない。
【発明の効果】
【００１２】
本発明の包装箱および包装箱のブランクシートでは、店頭陳列時に起立される頂板にシワや折れ目が入り難く、見栄えよく収容物を展示することができる。
【図面の簡単な説明】
【００１３】
【図１】一実施形態の包装箱を示す図であり、（ａ）は前壁側から見た斜視図、（ｂ）は後壁側から見た斜視図である。
【図２】一実施形態の包装箱の展開図である。
【図３】要部の拡大説明図である。
【図４】一実施形態の包装箱において、後壁、頂板および前壁を立ち上げた状態を前側から見た斜視図である。
【図５】一実施形態の包装箱の開封操作を示す図であり、（ａ）は後壁側から開封を始めた状態を示す斜視図、（ｂ）は左右側壁および前壁を開封した状態を示す斜視図である。
【図６】（ａ）は頂板を起立させる際の様子を示す斜視図、（ｂ）は後壁に頂板を起立させた状態を示す斜視図である。
【図７】頂板を起立させる際の様子を段階的に示す図であり、（ａ）は頂板を幾分持ち上げた状態を示す斜視図、（ｂ）は第二折線で前頂板が折れ曲がり始めた状態を示す斜視図、（ｃ）は第二折線に加えて第一折線で前頂板が折れ曲がり始めた状態を示す斜視図である。
【図８】（ａ）は第一折線および第二折線で前頂板が二つ折りにされ、後頂板に重ねられた状態を示す斜視図、（ｂ）は切欠き部に前頂板を係止した状態を示す斜視図である。
【図９】切欠き部に前頂板を係止した状態を後側から見た斜視図である。
【図１０】頂板を切り離してトレーとして使用する際の斜視図である。
【発明を実施するための形態】
【００１４】
以下、図面を参照して、本発明の実施の形態について詳細に説明する。なお、同一の要素には同一の符号を付し、重複する説明は省略する。また、以下の説明において、前後左右上下方向は、図１（ａ）（ｂ）に示す包装箱１の状態を基準としている。
本実施形態の包装箱１は、図１（ａ）（ｂ）に示すように、底板１０、前壁２０、後壁３０、対向する左側壁４０Ａと右側壁４０Ｂ、および頂板５０を備えている。底板１０の後縁部（後端）に後壁３０が連設され、後壁３０の上縁部（上端）に頂板５０が連設されている。また、頂板５０の前縁部（前端）に前壁２０が連設されている。左側壁４０Ａは、底板１０の左縁部に連設された左下側壁１０Ａと、頂板５０の左縁部に連設された左上側壁５０Ａとからなる。また、右側壁４０Ｂは、底板１０の右縁部に連設された右下側壁１０Ｂと、頂板５０の右縁部に連設された右上側壁５０Ｂとからなる。
包装箱１には、これらの要素によって囲まれる内部空間が形成されている。この内部空間は、収容物Ｃである包装容器に入った即席麺（図５（ｂ）参照）や袋入り菓子等の食品を収容するための空間である。
なお、収容物Ｃは、上面Ｃ１（図６（ａ）参照）を頂板５０側に向けて包装箱１内に収容され、収容物Ｃの上面Ｃ１が開封される側となる。
【００１５】
包装箱１は、図２に示すように、一枚のシートを切り抜いたブランクシートＳを用いて形成されている。
ブランクシートＳは、二枚のライナー原紙の間に波状に加工された中芯を貼合した段ボールシートからなる。ブランクシートＳの表面には、収容物の広告に関する表示（印刷、不図示）が施されている。ブランクシートＳを形成する場合には、表面側となる表側ライナーを任意の方法で印刷しておき、中芯、裏側ライナーの順で貼合して形成してもよく、また、貼合して段ボールシートを形成した後に、表面側に印刷等を施してもよい。なお、表側ライナーおよび裏側ライナーの両方に印刷等を施してもよい。また、段ボールシートを形成した後に、両面に印刷等を施してもよい。なお、ブランクシートＳは、頂板５０の表面のみに印刷等を施してもよい。
【００１６】
図２に示すブランクシートＳは裏面側が見えるように配置されている。そして、ブランクシートＳを裏面側が見えるように配置した状態から、各折線（切込線が備わる折線を含む）において９０度の角度で谷折りすることで、図１（ａ）（ｂ）に示す包装箱１が形成される。そして、包装箱１の表面には広告が表示される。
【００１７】
ブランクシートＳの各折線（罫線）は、ブランクシートＳの裏面を押し込んで形成された線状の溝（押し罫線）である。なお、ブランクシートＳをより折り曲げ易くするために、必要に応じて、押し罫線に沿って、例えば点線状の切り込みを形成することも可能である。
【００１８】
底板１０は、図２に示すように、長方形に形成されており、前後方向の長さよりも左右方向の長さが大きく形成されている。左下側壁１０Ａは、底板１０の左縁部に折線Ｌ１１を介して連設されている。また、右下側壁１０Ｂは、底板１０の右縁部に折線Ｌ１２を介して連設されている。
底板１０の前縁部には折線Ｌ１３を介してのり代１３が連設されている。折線Ｌ１３には、点線状の切り込みＬ１３ａ（図４参照）が形成されている。のり代１３は、図１（ａ）に示すように、前壁２０の前面に貼合される。のり代１３の上縁部１３ｅは、前壁２０に備わる下側前カット線Ｌ８に沿って（下側前カット線Ｌ８に重なるように）配置される。
【００１９】
図２に示すように、後壁３０は、底板１０の後縁部に折線Ｌ１を介して連設されている。折線Ｌ１には、点線状の切り込みＬ１ａ（図４参照）が形成されている。後壁３０の左右縁部には、折線Ｌ１に直交する折線Ｌ２，Ｌ３が形成されている。そして、後壁３０の左縁部には、折線Ｌ２を介して左後フラップ３１が連設され、右縁部には、折線Ｌ３を介して右後フラップ３２が連設されている。左後フラップ３１は、左下側壁１０Ａおよび左上側壁５０Ａの裏面に重なる部位である。右後フラップ３２は、右下側壁１０Ｂおよび右上側壁５０Ｂの裏面に重なる部位である。
【００２０】
後壁３０の上縁部には、折線Ｌ１と平行な折線Ｌ４が形成され、折線Ｌ４に沿って上側後カット線Ｌ４１が形成されている。上側後カット線Ｌ４１は、切込線からなり、この位置で切り離すことができる。なお、本実施形態では、折線Ｌ４に沿う点線状の切込線、および折線Ｌ４から傾斜する傾斜状の切込線を備えている。上側後カット線Ｌ４１は、図１（ｂ）に示すように、後壁３０と頂板５０との境の稜線に沿って後壁３０の左端から右端まで延びている。
また、後壁３０には、図２に示すように、左右方向（長手方向）に延びる下側後カット線Ｌ４２が形成されている。下側後カット線Ｌ４２は、切込線からなり、この位置で切り離すことができる。なお、この切込線は、ミシン線と呼ばれる不連続な切込線や、ジッパーと呼ばれる鉤状をした不連続な切込線等により構成することができる（以下同じ）。
【００２１】
下側後カット線Ｌ４２は、図２に示すように、左右方向に延在する横線部Ｌ４２ａと、横線部Ｌ４２ａの両端部に連続する凹状部Ｌ４２ｂ，Ｌ４２ｂと、凹状部Ｌ４２ｂ，Ｌ４２ｂに連続する段差横線部Ｌ４２ｃ，Ｌ４２ｃと、を備えている。
【００２２】
横線部Ｌ４２ａは、折線Ｌ４（上側後カット線Ｌ４１）と平行に形成されている。横線部Ｌ４２ａは、後記するように、店頭陳列時に包装箱１を頂板５０を切り離したトレーとして使用する際に切断される（図１０参照）。なお、横線部Ｌ４２ａは、後記するように、店頭陳列時に頂板５０を立ち上げて使用する場合には、切断されずに後壁３０を繋いでいる（図９参照）。
【００２３】
凹状部Ｌ４２ｂは、図３に示すように、傾斜部Ｌ４２ｂ１と、傾斜部Ｌ４２ｂ１に連続する底部Ｌ４２ｂ２と、底部Ｌ４２ｂ２に連続する立上部Ｌ４２ｂ３と、を備えている。傾斜部Ｌ４２ｂ１は、後壁３０の右縁部（左側では左縁部）に近づくにつれて、折線Ｌ１側（後壁３０の下部側）に近づく方向に傾斜している。段差横線部Ｌ４２ｃ，Ｌ４２ｃは、後壁３０において横線部Ｌ４２ａよりも高い位置に形成されている。段差横線部Ｌ４２ｃ，Ｌ４２ｃは、図１（ｂ）に示すように、右上側壁５０Ｂと右下側壁１０Ｂとの突き合わせ部位（左上側壁５０Ａと左下側壁１０Ａとの突き合わせ部位）に通じている。
なお、右後フラップ３２（左後フラップ３１）には、図３に示すように、段差横線部Ｌ４２ｃに連続する切込部Ｌ４２ｃ１が形成されている。
【００２４】
凹状部Ｌ４２ｂは、店頭陳列時に後記するようにして切断されることで、切欠き部４７（図５（ａ）参照）を形成する。切欠き部４７が形成されることで、図８（ａ）に示すように、切欠き部４７，４７に隣接する後壁３０の角部付近には、切欠き部４７，４７の切り込みによって相対的に上方へ向けて突出する突出壁部４８，４８が形成される。突出壁部４８，４８には、後記するようにして前頂板５０２の前端部５０２ａの左右の角部付近が支えられる。
【００２５】
後壁３０の左右部分には、上側後カット線Ｌ４１および下側後カット線Ｌ４２に直交する縦カット線Ｌ４３，Ｌ４３が形成されている。縦カット線Ｌ４３，Ｌ４３は、点線状の切込線からなり、この位置で切り離すことができる。
【００２６】
縦カット線Ｌ４３は、図３に示すように、上側縦線部Ｌ４３ａと、上側縦線部Ｌ４３ａに連続する半円状部Ｌ４３ｂと、半円状部Ｌ４３ｂに連続する下側縦線部Ｌ４３ｃと、を備えている。縦カット線Ｌ４３は、包装箱１を開梱する際（店頭陳列を行う際）に使用されるツマミ部４５（図５（ａ）参照）の一側を形成する。
下側縦線部Ｌ４３ｃの下端は、下側後カット線Ｌ４２の横線部Ｌ４２ａの端部（凹状部Ｌ４２ｂの傾斜部Ｌ４２ｂ１の上端部）に接続されている。半円状部Ｌ４３ｂの内側には、折線Ｌ４６ａが形成されている。折線Ｌ４６ａは上側縦線部Ｌ４３ａおよび下側縦線部Ｌ４３ｃと一直線上に形成されている。
また、縦カット線Ｌ４３の側方には、折線Ｌ４４が形成されている。折線Ｌ４４は、凹状部Ｌ４２ｂの立上部Ｌ４２ｂ３と一直線上に形成されている。折線Ｌ４４は、縦カット線Ｌ４３と平行である。
【００２７】
ツマミ部４５は、包装箱１を開梱する際に手の指で把持される部分である。ツマミ部４５は、上側後カット線Ｌ４１と、縦カット線Ｌ４３と、凹状部Ｌ４２ｂと、折線Ｌ４４とによって囲われる範囲で構成される。
本実施形態では、上側後カット線Ｌ４１および下側後カット線Ｌ４２が特許請求項の範囲における「後カット線」に相当する。
なお、図２に示すように、左側のツマミ部４５の縦カット線Ｌ４３を境にして、これよりも左側では、切込線が逆向き（傾斜状の切込線が逆向き）になっている。これによって縦カット線Ｌ４３よりも左側では、ツマミ部４５をつまんで左方向に開封操作し易くなっている。
【００２８】
頂板５０は、後壁３０側にある後頂板５０１と、前壁２０側にある前頂板５０２とから構成されている。後頂板５０１と前頂板５０２とは、前頂板５０２の後縁部の第一折線Ｌ５１，Ｌ５１および半円形状の円弧状切込線５１ａによって区画されている。第一折線Ｌ５１，Ｌ５１は、本実施形態では、折線Ｌ４に平行であり、頂板５０の左右方向に一直線上に配置されている。また、後頂板５０１には、第一折線Ｌ５１，Ｌ５１の近傍位置に第一折線Ｌ５１，Ｌ５１に各々平行な第二折線Ｌ５２，Ｌ５２が形成されている。第二折線Ｌ５２，Ｌ５２は、円弧状切込線５１ａの円弧部分にその一端が接するように、かつ、左右方向に一直線上に配置されている。なお、第二折線Ｌ５２，Ｌ５２は、必ずしも第一折線に平行に設ける必要はなく、第一折線Ｌ５１，Ｌ５１に対して角度をもって設けてもよい。
【００２９】
円弧状切込線５１ａの左端は、左側の第一折線Ｌ５１に接続されており、円弧状切込線５１ａの右端は、右側の第一折線Ｌ５１に接続されている。前頂板５０２には、円弧状切込線５１ａで切り離される半円形状の広告部５１が備わり、前頂板５０２は、後記する店頭陳列時に広告機能を兼ね備えたものとなっている。頂板５０は、第二折線Ｌ５２，Ｌ５２および円弧状切込線５１ａを境にして、後頂板５０１と前頂板５０２とに折り曲げ可能（二つ折り可能）である（図６（ａ）（ｂ），図８（ｂ）参照）。
広告部５１は、頂板５０を二つ折りにした際に、前頂板５０２と一体となって起立可能である（図６（ｂ），図８（ｂ）参照）。
【００３０】
頂板５０の左縁部には、折線Ｌ４に直交する折線Ｌ６が形成され、折線Ｌ６に沿って左カット線Ｌ６ａが形成されている。左カット線Ｌ６ａは、切込線からなり、この位置で切り離すことができる。左上側壁５０Ａは、この左カット線Ｌ６ａを介して頂板５０の左縁部に連設されている。左カット線Ｌ６ａは、図１（ａ）に示すように、左側壁４０Ａと頂板５０との境の稜線に沿って、左側壁４０Ａの前端から後端まで延びている。なお、左カット線Ｌ６ａの切込線の向き（傾斜状の切込線の向き、以下同じ）は、後壁３０の左側のツマミ部４５の左側から連続する切込線の向きと同じである。
また、頂板５０の右縁部には、図２に示すように、折線Ｌ４に直交する折線Ｌ７が形成され、折線Ｌ７に沿って右カット線Ｌ７ａが形成されている。右上側壁５０Ｂは、この右カット線Ｌ７ａを介して頂板５０の右縁部に連設されている。右カット線Ｌ７ａは、図１（ｂ）に示すように、右側壁４０Ｂと頂板５０との境の稜線に沿って、右側壁４０Ｂの前端から後端まで延びている。右カット線Ｌ７ａの切込線の向きは、後壁３０の上側後カット線Ｌ４１から連続する切込線の向きと同じである。
【００３１】
前壁２０は、頂板５０の前縁部に折線Ｌ５を介して連設されている。頂板５０の前縁部には、折線Ｌ５に沿って上側前カット線Ｌ５ａが形成されている。上側前カット線Ｌ５ａは、切込線からなり、この位置で切り離すことができる。上側前カット線Ｌ５ａは、図１（ａ）に示すように、前壁２０と頂板５０との境の稜線に沿って、前壁２０の左端から右端まで延びている。上側前カット線Ｌ５ａの切込線の向きは、右上側壁５０Ｂの右カット線Ｌ７ａから連続する切込線の向きと同じである。
【００３２】
前壁２０の左縁部には、図２に示すように、折線Ｌ９を介して左前フラップ２１が連設され、前壁２０の右縁部には、折線Ｌ１０を介して右前フラップ２２が連設されている。左前フラップ２１は、左下側壁１０Ａおよび左上側壁５０Ａの裏面に重なる部位である。右前フラップ２２は、右下側壁１０Ｂおよび右上側壁５０Ｂの裏面に重なる部位である。左前フラップ２１および右前フラップ２２には、切込部Ｌ８ｂ１，Ｌ８ｂ１が形成されている。また、左前フラップ２１の折線Ｌ９の略上半分側には、点線状（ミシン目状）の切込部Ｌ９ａが形成されている。
【００３３】
前壁２０には、図２に示すように、左右方向（長手方向）に延びる下側前カット線Ｌ８が形成されている。下側前カット線Ｌ８は、切込線からなり、この位置で切り離すことができる。下側前カット線Ｌ８の切込線の向きは、上側前カット線Ｌ５ａの切込線の向きと同じである。
下側前カット線Ｌ８は、横線部Ｌ８ａと、横線部Ｌ８ａの両端部に連続する傾斜部Ｌ８ａ１，Ｌ８ａ１と、傾斜部Ｌ８ａ１，Ｌ８ａ１に連続する段差横線部Ｌ８ｂ，Ｌ８ｂと、を備えている。
【００３４】
横線部Ｌ８ａおよび段差横線部Ｌ８ｂ，Ｌ８ｂは、折線Ｌ５（上側前カット線Ｌ５ａ）と平行に形成されている。傾斜部Ｌ８ａ１は、横線部Ｌ８ａと段差横線部Ｌ８ｂとを繋いでいる。このような下側前カット線Ｌ８は、後記する店頭陳列時に頂板５０を分離する際に、上側前カット線Ｌ５ａとともに切り離される。
本実施形態では、上側前カット線Ｌ５ａおよび下側前カット線Ｌ８が特許請求項の範囲における「前カット線」に相当する。
【００３５】
なお、左上側壁５０Ａと左下側壁１０Ａとは、包装箱１の左側部において上下方向の中間位置で突き合わされている（図１（ａ）参照）。また、右上側壁５０Ｂと右下側壁１０Ｂとは、包装箱１の右側部において上下方向の中間位置で突き合わされている（図１（ｂ）参照）。
【００３６】
次に、図２に示すブランクシートＳから図１（ａ）（ｂ）に示す包装箱１を組み立てる手順の一例について説明する。
まず、図４に示すように、後壁３０を、折線Ｌ１で底板１０に対し９０度折り曲げ、頂板５０および前壁２０を一体的に立ち上げる。
【００３７】
その後、後壁３０の左後フラップ３１および右後フラップ３２を、折線Ｌ２，Ｌ３で後壁３０に対し９０度折り曲げる。
【００３８】
続いて、頂板５０を折線Ｌ４で後壁３０に対し９０度折り曲げるとともに、前壁２０を折線Ｌ５で頂板５０に対し９０度折り曲げる。
【００３９】
その後、前壁２０の左前フラップ２１および右前フラップ２２を、折線Ｌ９，Ｌ１０で前壁２０に対し９０度折り曲げる。
【００４０】
続いて、左下側壁１０Ａを、折線Ｌ１１で底板１０に対して９０度折り曲げ、左後フラップ３１および左前フラップ２１の表面に重ねて図示しない接着剤で接着する。同様に、左上側壁５０Ａを折線Ｌ６で頂板５０に対して９０度折り曲げ、左後フラップ３１および左前フラップ２１の表面に重ねて図示しない接着剤で接着する。
また、右下側壁１０Ｂを、折線Ｌ１２で底板１０に対して９０度折り曲げ、右後フラップ３２および右前フラップ２２の表面に重ねて図示しない接着剤で接着する。同様に、右上側壁５０Ｂを、折線Ｌ７で頂板５０に対して９０度折り曲げ、右後フラップ３２および右前フラップ２２の表面に重ねて図示しない接着剤で接着する。
【００４１】
その後、のり代１３を、折線Ｌ１３で底板１０に対し９０度折り曲げ、前壁２０の前面に接着剤で接着する。
このようにして、図１（ａ）（ｂ）に示すように、包装箱１の組み立てが完了する。
なお、収容物Ｃは、包装箱１を組み立てる途中のいずれかの状態で、開口されている口部から包装箱１内に収容することができる。
また、ラップラウンド方式で、底板１０に収容物Ｃを置いた後に前記のように組み立てることで収容物Ｃを包むようにして包装箱１を組み立てることもできる。
【００４２】
次に、包装箱１を店頭陳列用の箱（トレイ）として使用する際の手順について説明する。
まず、頂板５０を開封する操作を行う。はじめに、後壁３０の右側にある縦カット線Ｌ４３の半円状部Ｌ４３ｂを指（不図示）で押して半円状部Ｌ４３ｂから指を挿入し、ツマミ部４５を摘むようにして後方へ引っ張る。そうすると、ツマミ部４５の周囲の縦カット線Ｌ４３、上側後カット線Ｌ４１および凹状部Ｌ４２ｂが切断され、折線Ｌ４４を介してツマミ部４５が後方へ引き起こされる。
【００４３】
その後、ツマミ部４５を摘んで引っ張り、図５（ａ）に示すように、ツマミ部４５の右側の上側後カット線Ｌ４１および段差横線部Ｌ４２ｃを切断して、後壁３０の右上側部分を後壁３０および頂板５０から切り離す。その後、右側部において右カット線Ｌ７ａを切断し、右上側壁５０Ｂを頂板５０から切り離す。このとき、右上側壁５０Ｂは、包装箱１の右側部において上下方向の中間位置で右下側壁１０Ｂに突き合わされているだけであるので、切り離しが容易である。
【００４４】
その後、ツマミ部４５をさらに引っ張り、前壁２０側において上側前カット線Ｌ５ａおよび下側前カット線Ｌ８に沿って前壁２０の上部を前壁２０および頂板５０から切り離す。なお、前壁２０の左前フラップ２１には切込部Ｌ９ａが形成されているので、この切込部Ｌ９ａ（左前角部）において、ツマミ部４５から連続して切り離してきた切断片（後壁３０の左上部側の切断片、右上側壁５０Ｂの切断片および前壁２０の上部側の切断片）を、一旦、切ることができる。
【００４５】
その後、前記と同様にして、後壁３０の左側にある縦カット線Ｌ４３の半円状部Ｌ４３ｂから指を挿入して、ツマミ部４５を引っ張り、後壁３０の左上部側を後壁３０および頂板５０から切り離す。その後、左側部において左カット線Ｌ６ａを切断し、左上側壁５０Ａを頂板５０から切り離す。この場合にも、左上側壁５０Ａは、包装箱１の左側部において上下方向の中間位置で左下側壁１０Ａに突き合わされているだけであるので、切り離しが容易である。
【００４６】
このように切り離すことで、図５（ｂ）に示すように、後壁３０を残して（後壁３０は不図示）頂板５０が開封される。
【００４７】
その後、図６（ａ）に示すように、頂板５０を持ち上げ、頂板５０の後頂板５０１の裏面に前頂板５０２が重なるように頂板５０を二つ折りにする。
そして、図６（ｂ）に示すように、前頂板５０２の前端部５０２ａ（図６（ａ）参照）を後頂板５０１の裏面と底板１０に並べられた収容物Ｃとの間に差し込む。前頂板５０２の前端部５０２ａは、図９に示すように、ツマミ部４５を切り離すことによって形成された切欠き部４７に係止する。これによって、広告部５１が起立された状態に保持される。
【００４８】
次に、頂板５０を二つ折りにする際の作用を詳細に説明する。なお、図７〜図９では収容物Ｃの表示を省略している。
まず、図７（ａ）に示すように、頂板５０の前側を幾分持ち上げるようにする。そして、図７（ｂ）に示すように、頂板５０の裏面側から円弧状切込線５１ａの頂部側を、例えば指で軽く叩き、広告部５１の頂部側を後頂板５０１から切り離す。
【００４９】
続いて、切り離された広告部５１の頂部を指で摘み、広告部５１を上方へ引き上げる。そうすると、引き上げる操作に伴って、円弧状切込線５１ａの端部に向けて広告部５１が後頂板５０１から徐々に切り離される。その過程で、切り離される位置が第二折線Ｌ５２，Ｌ５２に差し掛かると、図７（ｂ）に示すように、第二折線Ｌ５２，Ｌ５２に沿って前頂板５０２が後頂板５０１に対して折れ曲がる。つまり、広告部５１を上方へ引き上げる際に前頂板５０２に作用する力が第二折線Ｌ５２，Ｌ５２の折れ曲がりによって好適に逃される。これによって、前頂板５０２の湾曲が防止され、前頂板５０２の左右側縁部５０２ｂも直線状に維持される。
【００５０】
そして、さらに広告部５１を上方へ引き上げると、図７（ｃ）に示すように、広告部５１の切り離し位置が円弧状切込線５１ａの端部に至り、前記した第二折線Ｌ５２，Ｌ５２による折れ曲がりに加えて、第一折線Ｌ５１，Ｌ５１で前頂板５０２が折れ曲がる状態となる。つまり、広告部５１を上方へ引き上げる際に前頂板５０２に作用する力が第一折線Ｌ５１，Ｌ５１および第二折線Ｌ５２，Ｌ５２の前後二つの折れ曲がりによって好適に逃されることとなる。これによって、前頂板５０２の湾曲がより一層防止されるようになり、前頂板５０２の左右側縁部５０２ｂも直線状に維持される。
【００５１】
その後、図８（ａ）に示すように、第一折線Ｌ５１，Ｌ５１に沿って頂板５０が二つ折りにされる状態にする。本実施形態では、このように第一折線Ｌ５１，Ｌ５１で二つ折りにされた状態で、前頂板５０２の前端部５０２ａが、収容物Ｃの上面Ｃ１（図６（ｂ）参照）よりも上方に配置される位置関係となるように設定されている。つまり、二つ折りにする際の操作を収容物Ｃに干渉することなく（当接することなく）、収容物Ｃの上方で行うことができる。したがって、二つ折りにする際の操作で、収容物Ｃに当接して収容物Ｃが倒れてしまったり、包装が傷んでしまったりするのを未然に防止することができる。
【００５２】
その後、図８（ａ）に矢印で示すように、後頂板５０１に対して前頂板５０２を下方にスライド移動させ、図８（ｂ）に示すように、前頂板５０２の前端部５０２ａを後壁３０の切欠き部４７，４７に係止する。この場合、前後二つの第一折線Ｌ５１，Ｌ５１および第二折線Ｌ５２，Ｌ５２によって、前頂板５０２に作用する力が好適に逃され、その結果、前頂板５０２の湾曲が防止される。つまり、前後二つの第一折線Ｌ５１，Ｌ５１および第二折線Ｌ５２，Ｌ５２によって、二つ折り状態が柔軟に保持されつつ、前頂板５０２が、略垂直方向にスライド移動される。これによって、後頂板５０１と収容物Ｃとの間の狭いスペースに前頂板５０２を好適に挿入することができる。また、挿入の際に前頂板５０２にシワや折れ目が入るのを好適に防止することができる。
【００５３】
以上のようにすることで、包装箱１を、広告部５１を起立させた陳列用のトレイとして使用することができる。
【００５４】
以上説明した本実施形態の包装箱１によれば、後頂板５０１および前頂板５０２を起立させる店頭陳列時に、後頂板５０１と前頂板５０２とを第一折線Ｌ５１，Ｌ５１で折り曲げながら、第二折線Ｌ５２，Ｌ５２を用いて好適に二つ折りにすることができる。つまり、第一折線Ｌ５１，Ｌ５１および第二折線Ｌ５２，Ｌ５２の二つの折線によって起立の際に生じる前頂板５０２の歪み（湾曲）を好適に吸収することができる。
したがって、店頭陳列時に頂板５０にシワや折れ目が入り難く、見栄えよく収容物Ｃを展示することができる包装箱１が得られる。
【００５５】
また、頂板５０は、第二折線Ｌ５２，Ｌ５２で二つ折りにされて、後壁３０の下側後カット線Ｌ４２を前頂板５０２で覆う状態に、後壁３０の裏面の広い範囲を覆うので、見栄え良く収容物Ｃを展示することができる。
【００５６】
また、後壁３０に、前頂板５０２を係止するための切欠き部４７，４７が設けられているので、前頂板５０２の起立状態を好適に維持することができる。すなわち、前頂板５０２を切欠き部４７，４７に挿入すると同時に、前端部５０２ａの左右の角部付近が、切欠き部４７，４７に隣接する突出壁部４８，４８に支えられるため、ブランクシートＳの剛性によらず、起立状態で固定することができる。
【００５７】
また、のり代１３は、前壁２０の前面側から前壁２０に貼り付けられているので、前壁２０の補強材として機能する。これによって、切り離し時に作用する力によって、前壁２０が破断するのを好適に防止することができる。
また、のり代１３の上縁部１３ｅは、前壁２０の下側前カット線Ｌ８に沿って（下側前カット線Ｌ８に重なるように）配置されるので、前壁２０の上部を切り離す際の定規として機能する。したがって、切り離し操作が行い易い。
【００５８】
また、切欠き部４７，４７は、後カット線に沿って頂板５０を開封した際に、後カット線の下側後カット線Ｌ４２に備わる凹状部Ｌ４２ｂ，Ｌ４２ｂによって形成されるので、店頭陳列時の手間がかからない。
【００５９】
また、本実施形態のブランクシートＳによれば、店頭陳列時に、後頂板５０１と前頂板５０２とを第一折線Ｌ５１，Ｌ５１で折り曲げながら、第二折線Ｌ５２，Ｌ５２を用いて好適に二つ折りにすることができる。つまり、第一折線Ｌ５１，Ｌ５１および第二折線Ｌ５２，Ｌ５２の二つの折線によって起立の際に生じる前頂板５０２の歪み（湾曲）を好適に吸収することができる。
したがって、店頭陳列時に頂板５０にシワや折れ目が入り難く、見栄えよく収容物Ｃを展示することができる包装箱１が得られる。
【００６０】
以上、本発明の実施形態について説明したが、本発明は前記実施形態に限定されることなく、その趣旨を逸脱しない範囲で適宜に変更が可能である。
前記実施形態の包装箱１は、図１０に示すように、後壁３０の下側後カット線Ｌ４２に沿って上部側を切り離すことによって、広告部５１のないトレーとして展示使用することができる。
【００６１】
また、前記実施形態のブランクシートＳは、底板１０の前縁部にのり代１３を連設し、頂板５０の前縁部に前壁２０を連設したが、これに限られることはなく、底板１０の前縁部に前壁２０を連設し、頂板５０の前縁部にのり代１３を連設してもよい。また、前記実施形態のブランクシートＳは、底板１０の前縁部にのり代１３を連設したが、これに限られることはなく、前壁２０の前縁部にのり代１３を連設してもよい。
【００６２】
また、前記実施形態において、広告部５１は、半円形状のものを示したが、これに限られることはなく、頂板５０の折り曲げ時に起立して表示可能なものであれば種々の形状を採用し得る。
【００６３】
前記実施形態では、底板１０および頂板５０が長方形状の包装箱１を例に説明したが、これに限られることはなく、底板１０および頂板５０を正方形状や多角形状（例えば、六角形や八角形状等）として包装箱１を構成してもよい。
【符号の説明】
【００６４】
１      包装箱
１０    底板
２０    前壁
３０    後壁
４０Ａ  左側壁（側壁）
４０Ｂ  右側壁（側壁）
４５    ツマミ部
４７    切欠き部
５０    頂板
５１    広告部
５１ａ  円弧状切込線
５０１  後頂板
５０２  前頂板
Ｌ５ａ  上側前カット線（前カット線）
Ｌ８    下側前カット線（前カット線）
Ｌ５１  第一折線
Ｌ５２  第二折線
Ｌ４１  上側後カット線（後カット線）
Ｌ４２  下側後カット線（後カット線）
Ｌ４２ｂ  凹状部
Ｓ      ブランクシート
【図１】
0006397255.tif 000002
【図２】
0006397255.tif 000003
【図３】
0006397255.tif 000004
【図４】
0006397255.tif 000005
【図５】
0006397255.tif 000006
【図６】
0006397255.tif 000007
【図７】
0006397255.tif 000008
【図８】
0006397255.tif 000009
【図９】
0006397255.tif 000010
【図１０】
0006397255.tif 000011